(57)【要約】【課題】新たな仕組みのアフィリエイト広告を行うアフィリエイトシステム、アフィリエイト方法およびサーバを提供すること。【解決手段】実施形態に係るアフィリエイトシステムは、第一端末のユーザから第二端末のユーザへの商品またはサービスの紹介情報を紹介情報記憶手段に記憶し、第一端末の位置から所定範囲内に第二端末が存在する場合に、第二端末に対し、紹介情報記憶手段に記憶された紹介情報を通知し、第二端末のユーザが紹介情報に基づいて商品またはサービスの購入または利用をした場合に、第一端末のユーザに対して報酬を付与する。【選択図】図１
2014186471.tif 000002
【特許請求の範囲】
【請求項１】
第一端末と第二端末とを含む複数の無線端末と、サーバとを備えるアフィリエイトシステムであって、
前記サーバは、
前記第一端末のユーザから前記第二端末のユーザへの商品またはサービスの紹介情報を記憶する紹介情報記憶手段と、
前記第一端末の位置から所定範囲内に前記第二端末が存在する場合に、前記第二端末に対して前記紹介情報記憶手段に記憶された前記紹介情報を通知する紹介情報通知手段と、
前記第二端末のユーザが前記紹介情報に基づいて商品またはサービスの購入または利用をした場合に、前記第一端末のユーザに対して報酬を付与する付与手段と、を有する
ことを特徴とするアフィリエイトシステム。
【請求項２】
前記サーバは、
前記紹介情報に対応する前記商品または前記サービスの提供者によって指定された属性情報を示す第一属性情報と、前記第二端末のユーザの属性を示す第二属性情報と、を取得する属性情報取得手段を備え、
前記紹介情報通知手段は、
前記第一端末の位置から所定範囲内に前記第二端末が存在し、かつ、前記第一属性情報と前記第二属性情報とが所定の関係にある場合に、前記第二端末に対して前記紹介情報記憶手段に記憶された前記紹介情報を通知する
ことを特徴とする請求項１に記載のアフィリエイトシステム。
【請求項３】
前記サーバは、
前記第一端末のユーザの属性を示す第一属性情報と、前記第二端末のユーザの属性を示す第二属性情報とを取得する属性情報取得手段を備え、
前記紹介情報通知手段は、
前記第一端末の位置から所定範囲内に前記第二端末が存在し、かつ、前記第一属性情報と前記第二属性情報とが所定の関係にある場合に、前記第二端末に対して前記紹介情報記憶手段に記憶された前記紹介情報を通知する
ことを特徴とする請求項１に記載のアフィリエイトシステム。
【請求項４】
前記第一端末は、
前記第一端末のユーザの画像を撮像する撮像手段と、
前記撮像手段によって撮像された前記第一端末のユーザの画像の情報を前記サーバへ送信する送信手段と、を備え、
前記サーバは、
前記撮像手段によって撮像された画像を解析して前記第一端末のユーザの属性を示す属性情報を判定する属性判定手段を備え、
前記属性情報取得手段は、
前記属性判定手段の判定結果を前記第一属性情報として取得する
ことを特徴とする請求項３に記載のアフィリエイトシステム。
【請求項５】
前記第一端末は、
前記第一端末のユーザの匂いを検出する匂い検出手段と、
前記匂い検出手段によって検出された前記匂いの情報を前記サーバへ送信する送信手段と、を備え、
前記サーバは、
前記匂い検出手段によって検出された前記匂いを解析し、前記第一端末のユーザの属性を示す属性情報を前記第一属性情報として判定する属性判定手段を備え、
前記属性情報取得手段は、
前記属性判定手段の判定結果を前記第一属性情報として取得する
ことを特徴とする請求項３に記載のアフィリエイトシステム。
【請求項６】
前記紹介情報通知手段は、
前記第一端末の位置から所定範囲内に所定時間以上滞在していない前記第二端末に対しては、前記紹介情報の通知を行わない
ことを特徴とする請求項１〜５のいずれか１つに記載のアフィリエイトシステム。
【請求項７】
前記サーバは、
前記紹介情報の通知地域を示す地域情報を取得する地域情報取得手段と、
前記紹介情報通知手段は、
前記第一端末の位置から所定範囲内に前記第二端末が存在している場合であっても、前記第一端末の位置および前記第二端末の位置の少なくとも一つが前記地域情報で指定される通知地域外である場合、前記第二端末に対して前記紹介情報の通知を行わない
ことを特徴とする請求項１〜６のいずれか１つに記載のアフィリエイトシステム。
【請求項８】
第一端末と第二端末とを含む複数の無線端末と、サーバとを備えるアフィリエイトシステムであって、
前記第一端末のユーザから前記第二端末のユーザへの商品またはサービスの紹介情報を記憶する紹介情報記憶手段と、
前記第一端末の位置から所定範囲内に前記第二端末が存在する場合に、前記第二端末に対して前記紹介情報記憶手段に記憶した紹介情報を通知する紹介情報通知手段と、
前記第二端末のユーザが前記紹介情報に基づいて商品またはサービスの購入または利用をした場合に、前記第一端末のユーザに対して報酬を付与する付与手段と、を有する
ことを特徴とするアフィリエイトシステム。
【請求項９】
第一端末のユーザから第二端末のユーザへの商品またはサービスの紹介情報を記憶する紹介情報記憶手段と、
前記第一端末の位置から所定範囲内に前記第二端末が存在する場合に、前記第二端末に対して前記紹介情報記憶手段に記憶した紹介情報を通知する紹介情報通知手段と、
前記第二端末のユーザが前記紹介情報に基づいて商品またはサービスの購入または利用をした場合に、前記第一端末のユーザに対して報酬を付与する付与手段と、を有する
ことを特徴とするサーバ。
【請求項１０】
コンピュータが実行するアフィリエイト方法であって、
第一端末のユーザから第二端末のユーザへの商品またはサービスの紹介情報を紹介情報記憶手段に記憶する紹介情報記憶ステップと、
前記第一端末の位置から所定範囲内に前記第二端末が存在する場合に、前記第二端末に対して前記紹介情報記憶手段に記憶した紹介情報を通知する紹介情報通知ステップと、
前記第二端末のユーザが前記紹介情報に基づいて商品またはサービスの購入または利用をした場合に、前記第一端末のユーザに対して報酬を付与する付与ステップと、
を含むことを特徴とするアフィリエイト方法。
【発明の詳細な説明】
【技術分野】
【０００１】
本発明は、アフィリエイトシステム、アフィリエイト方法およびサーバに関する。
【背景技術】
【０００２】
広告形態の一つとして、アフィリエイト広告が知られている。アフィリエイト広告では、一般に、アフィリエイタが、ブログなどのサイトへ広告バナーを設定したり、メールマガジンの文章内に広告ページへのリンクを設定したりすることで、広告主のサイトへの誘導を行う。そして、かかる誘導によって広告主のサイトへのアクセスや購入などが発生した場合にアフィリエイタに報酬が発生する（特許文献１参照）。
【０００３】
かかるアフィリエイト広告では、アフィリエイタが広告主の商品やサービスの紹介などを積極的に行うことで、広告主のサイトへのアクセスを増やす努力を行うことが一般的である。
【先行技術文献】
【特許文献】
【０００４】
【特許文献１】特開２００１−２６６００１号公報
【発明の概要】
【発明が解決しようとする課題】
【０００５】
しかしながら、従来のアフィリエイト広告では、アフィリエイトの対象である商品やサービスに興味がある人が近くにいる場合であっても、アフィリエイトの対象を紹介することが難しい。このような場合にアフィリエイトの対象を紹介することができれば、報酬を得る新たな機会を持つことができ、望ましい。
【０００６】
本願は、上記に鑑みてなされたものであって、新たな仕組みのアフィリエイト広告を行うアフィリエイトシステム、アフィリエイト方法およびサーバを提供することを目的とする。
【課題を解決するための手段】
【０００７】
本願に係るアフィリエイトシステムは、第一端末と第二端末と含む複数の無線端末と、サーバとを備えるアフィリエイトシステムであって、前記サーバは、前記第一端末のユーザから前記第二端末のユーザへの商品またはサービスの紹介情報を記憶する紹介情報記憶手段と、前記第一端末の位置から所定範囲内に前記第二端末が存在する場合に、前記第二端末に対して前記紹介情報記憶手段に記憶した紹介情報を通知する紹介情報通知手段と、前記第二端末のユーザが前記紹介情報に基づいて商品またはサービスの購入または利用をした場合に、前記第一端末のユーザに対して報酬を付与する付与手段とを有することを特徴とする。
【発明の効果】
【０００８】
実施形態の一態様によれば、新たな仕組みのアフィリエイト広告を行うアフィリエイトシステム、アフィリエイト方法およびサーバを提供できる。
【図面の簡単な説明】
【０００９】
【図１】図１は、実施形態に係るアフィリエイト方法の説明図である。
【図２】図２は、実施形態に係るアフィリエイトシステムの具体的構成の一例を示す図である。
【図３】図３は、無線端末の記憶部に記憶される対象情報テーブルの一例を示す図である。
【図４】図４は、アフィリエイトアプリによって表示部に表示される画面の一例を示す図である。
【図５】図５は、表示制御部によって表示される表示画面の例を示す図である。
【図６】図６は、取引対象情報ＤＢに記憶された取引情報テーブルの一例を示す図である。
【図７】図７は、ユーザ情報ＤＢに記憶されたユーザ情報テーブルの一例を示す図である。
【図８】図８は、無線端末の位置と所定範囲との関係を示す図である。
【図９】図９は、無線端末における情報処理のフローチャートである。
【図１０】図１０は、アフィリエイトサーバにおける情報処理のフローチャートである。
【図１１】図１１は、第一変形例に係るアフィリエイトシステムの具体的構成の一例を示す図である。
【図１２】図１２は、第二変形例に係るアフィリエイトシステムの具体的構成の一例を示す図である。
【発明を実施するための形態】
【００１０】
以下に、本願に係るアフィリエイトシステム、アフィリエイト方法およびサーバの実施形態について図面を参照しつつ詳細に説明する。なお、この実施形態により本願に係るアフィリエイトシステム、アフィリエイト方法およびサーバが限定されるものではない。また、以下においては、データベースをＤＢと表す。
【００１１】
〔１．アフィリエイト方法〕
まず、実施形態に係るアフィリエイト方法の一例について説明する。図１は、実施形態に係るアフィリエイト方法の説明図である。
【００１２】
実施形態に係るアフィリエイト方法は、例えば、図１に示すアフィリエイトシステム１によって実現される。図１に示すように、アフィリエイトシステム１は、第一端末２ａと、第二端末２ｂと、アフィリエイトサーバ３ａと、ショッピングサーバ３ｂとを有する。第一端末２ａおよび第二端末２ｂは、例えば、携帯型無線端末であり、図示しない通信ネットワークを介してアフィリエイトサーバ３ａやショッピングサーバ３ｂと通信が可能である。
【００１３】
第一端末２ａおよび第二端末２ｂには、アフィリエイト広告に利用される専用のアプリケーション（以下、アフィリエイトアプリと記載する）がインストールされており、かかるアフィリエイトアプリの機能を用いてアフィリエイト広告が効果的に行われる。なお、以下においては、第一端末２ａおよび第二端末２ｂにおいてアフィリエイトアプリが起動され、かかるアフィリエイトアプリによって第一端末２ａおよび第二端末２ｂの制御部が動作しているとする。
【００１４】
第一端末２ａの表示部には、アフィリエイトアプリの機能によって、アフィリエイト情報に対応するアイコン６ａ、６ｂ（以下、アフィリエイトアイコン６と記載する場合がある）が表示される。アフィリエイト情報は、アフィリエイト対象の商品の情報であり、例えば、第一端末２ａのユーザ（以下、第一端末ユーザと記載する場合がある）が購入または利用した商品の情報や、商品の宣伝用の情報などが含まれる。
【００１５】
図１に示す例では、第一端末２ａは、ショッピングサーバ３ｂから送信されたアフィリエイト情報を記憶部に記憶し、かかるアフィリエイト情報に対応するアフィリエイトアイコン６を表示部に表示する（ステップＳ１）。これにより、第一端末ユーザは、アフィリエイタとなったことを把握できる。なお、アフィリエイト情報はアフィリエイトサーバ３ａ経由で第一端末２ａへ提供することもできる。
【００１６】
第一端末２ａに設定されたアフィリエイト対象の商品の情報が紹介情報として、紹介条件を満たす第二端末２ｂのユーザ（以下、第二端末ユーザと記載する場合がある）へ提供される。
【００１７】
紹介条件には、例えば、第二端末ユーザが第一端末ユーザの位置から所定範囲内に存在すること（第一条件）、および、第二端末ユーザが所定の属性を有すること（第二条件）、などが含まれる。
【００１８】
第一条件は、第一端末２ａの位置から所定範囲内に第二端末２ｂが存在することによって満たされる。したがって、第一端末ユーザは、例えば、第二端末ユーザが存在する場所に移動することで、アフィリエイト報酬を得ることを期待できる。
【００１９】
また、第二条件は、例えば、第二端末ユーザのユーザ属性がアフィリエイト対象である商品の提供者によって指定されたユーザ属性（以下、指定ユーザ属性と記載する）と所定の関係にあることである。例えば、指定ユーザ属性が「２０代の女性」である場合、「２０代の女性」のユーザ属性を有する第二端末ユーザは、第二条件を満たすと判定される。
【００２０】
また、第二条件は、第二端末ユーザの属性が第一端末ユーザの属性と所定の関係にあることであってもよい。この場合、例えば、アフィリエイトサーバ３ａは、第一端末ユーザのユーザ属性と第二端末ユーザのユーザ属性との一致度が所定値以上の場合に、第二端末ユーザが第二条件を満たすと判定する。
【００２１】
かかる紹介条件を満たすため、第一端末ユーザは、所定の属性を有する第二端末ユーザが存在している場所に移動する（ステップＳ２）。例えば、指定ユーザ属性が「２０代の女性」である場合、第一端末ユーザは、２０代の女性が集まりそうな場所へ移動する。
【００２２】
第一端末２ａおよび第二端末２ｂはそれぞれ現在地の位置情報を含む端末情報をアフィリエイトサーバ３ａへ定期的に送信しており（ステップＳ３ａ、Ｓ３ｂ）、アフィリエイトサーバ３ａは、第一端末２ａおよび第二端末２ｂから取得した端末情報に基づき、第一条件を満たすか否かを判定する（ステップＳ４）。
【００２３】
第一条件を満たす第二端末２ｂがある場合、アフィリエイトサーバ３ａは、第一条件を満たす第二端末２ｂのユーザが第二条件を満たす属性を有するか否かを判定する。なお、第二端末ユーザの属性情報は、アフィリエイトサーバ３ａにユーザ情報として記憶されているが、第二端末２ｂからサーバ３へ属性情報を通知することもできる。
【００２４】
アフィリエイトサーバ３ａは、紹介条件を満たす第二端末ユーザに対して、第一端末２ａに設定されたアフィリエイト情報に応じた紹介情報を第二端末２ｂへ送信する（ステップＳ５）。第二端末２ｂは、アフィリエイトサーバ３ａから送信された紹介情報を内部の記憶部に設定し、紹介情報に応じたアイコン７ａ（以下、紹介アイコン７と記載する場合がある）を表示部に表示する（ステップＳ６）。
【００２５】
その後、第二端末ユーザが表示部に表示された紹介アイコン７を操作すると（ステップＳ７）、第二端末２ｂは、クーポンバナーを含むクーポン画面８を表示部に表示する。かかるクーポン画面８に表示されるクーポンバナーが第二端末ユーザにより選択されると（ステップＳ８）、第二端末２ｂは、紹介アイコン７に対応する商品を提供するショッピングサーバ３ｂへアクセスし、ショッピングサーバ３ｂから送信される情報に基づいてショッピング画面９を表示部に表示する。
【００２６】
ショッピング画面９には紹介アイコン７に対応する商品を購入するための購入ボタンが設定されており、第二端末ユーザは、かかる購入ボタンを選択することで、第二端末２ｂからショッピングサーバ３ｂへ購入要求が送信される（ステップＳ９）。これにより、第二端末ユーザは、紹介アイコン７に対応する商品を購入することができる。
【００２７】
アフィリエイトサーバ３ａは、紹介アイコン７に対応する商品を第二端末ユーザが購入したことを示す販売情報をショッピングサーバ３ｂから取得する（ステップＳ１０）と、アフィリエイトサーバ３ａは、紹介者である第一端末ユーザに対して報酬を付与するアフィリエイト処理を行う。アフィリエイトサーバ３ａは、例えば、販売情報に含まれる情報から紹介商品および第一端末ユーザを特定することができる。
【００２８】
報酬の付与は、紹介商品の金額に対して所定割合のポイント（以下、アフィリエイトポイントと記載する）を第一端末ユーザが有するポイントに加算することによって行われる。アフィリエイトサーバ３ａは、第一端末ユーザに対して付与したアフィリエイトポイントの情報を第一端末２ａへ送信する（ステップＳ１１）。
【００２９】
上記ポイントは、例えば、ショッピングサーバ３ｂなどのサーバが提供するサービス（例えば、オンラインショッピング、オンラインゲーム、オークションなど）に用いることができる仮想価値である。かかるポイントは、その他のサービスに用いることができる仮想価値であってもよい。なお、アフィリエイトサーバ３ａは、紹介商品の金額に対して所定割合の金額（以下、アフィリエイト料と記載する）を第一端末ユーザの口座に振り込むことによって報酬の付与を行うこともできる。
【００３０】
このように、実施形態に係るアフィリエイト方法では、アフィリエイト広告に対応する紹介情報を第二端末ユーザへ通知する条件として、第一端末ユーザの位置から所定範囲内に第二端末ユーザが存在するという第一条件を含む。
【００３１】
したがって、第一端末ユーザは、第二端末ユーザがいる場所に移動することで積極的に紹介情報を第二端末ユーザへ通知でき、アフィリエイタがオフラインで積極的に行動することでアフィリエイト報酬を得ることができる新たなアフィリエイト広告の仕組みを提供できる。
【００３２】
アフィリエイタは、オフラインでの積極的な行動によってアフィリエイト対象である商品のインフルエンサとなることができる。なお、インフルエンサとは、例えば、商品の購入に対して大きな影響を及ぼす人を指す。
【００３３】
また、実施形態に係るアフィリエイト方法では、紹介情報を第二端末ユーザへ通知する条件として、第二端末ユーザが所定の属性を有するという第二条件を含む。この第二条件により、第一端末ユーザの近くにいる全ての第二端末ユーザに対して紹介情報が送信されることがなく、スパム的な広告配信を抑制することができる。そのため、紹介情報が無視されやすくなることを防止できる。また、アフィリエイト対象の商品を購入する可能性がある第二端末ユーザに対して紹介情報が通知され、これにより、アフィリエイト広告による効果を効果的に発揮することができる。
【００３４】
なお、上述の例では、オンライン上での商品の購入について説明したが、オフラインでの商品の購入についても同様にアフィリエイト広告を行うことができる。また、商品でなくサービス（例えば、レストランでの料理の提供や映画館での映画の提供など）の利用についても同様に、アフィリエイト広告を行うことができる。また、紹介情報には、商品やサービスの購入や利用に関する情報の他、割引クーポンやその他のお薦め商品やサービスの情報を含めることができる。
【００３５】
以下、実施形態に係るアフィリエイトシステム１の構成例および動作を具体的に説明する。なお、以下の例では、商品およびサービスを総称して取引対象と記載する場合がある。
【００３６】
〔２．アフィリエイトシステム１の構成〕
図２は、実施形態に係るアフィリエイトシステム１の具体的構成の一例を示す図である。図２に示すように、アフィリエイトシステム１は、無線端末２1〜２n（以下、無線端末２と総称する場合がある）と、サーバ３と、店舗端末４1〜４m（以下、店舗端末４と総称する場合がある）を有する。
【００３７】
無線端末２は、例えば、スマートフォンやモバイルＰＣ（Personal  computer）などの携帯型無線端末であり、無線通信により通信ネットワーク５を介して、アフィリエイトサーバ３ａやショッピングサーバ３ｂと通信可能である。通信ネットワーク５は、例えば、インターネットなどのＩＰ（Internet  Protocol）ネットワークである。
【００３８】
各無線端末２には、アフィリエイトアプリがインストールされており、上述した第一端末２ａとしての機能と、第二端末２ｂとしての機能を備える。
【００３９】
サーバ３は、アフィリエイトサーバ３ａと、ショッピングサーバ３ｂとを有する。各サーバ３ａ、３ｂは通信ネットワーク５に接続されており、通信ネットワーク５を介して無線端末２と通信が可能である。
【００４０】
店舗端末４は、商品やサービスを提供する店舗に設置された端末装置であり、図示しないバーコードリーダやＮＦＣ(Near  Field  Communication)装置などが接続されている。かかる店舗端末４は、バーコードリーダやＮＦＣ装置で無線端末２から読み取った情報を販売情報としてアフィリエイトサーバ３ａへ送信する。これにより、無線端末２のユーザが店舗内で購入した商品や利用したサービスの情報がアフィリエイトサーバ３ａへ通知される。
【００４１】
なお、ＮＦＣは、例えば、Ｆｅｌｉｃａ、ＩＳＯ／ＩＥＣ１４４４３（ＭＩＤＡＲＥ）などがある。ＮＦＣによる通信は、電波に限定されるものではなく、例えば、赤外線通信、可視光通信、音波などを用いることもできる。
【００４２】
〔３．無線端末２の構成〕
無線端末２は、図２に示すように、無線通信部２０と、表示部２１と、操作部２２と、記憶部２３と、位置検出部２４と、撮像部２５と、匂い検出部２６と、制御部２７とを有する。無線通信部２０は、通信ネットワーク５に無線で接続され、通信ネットワーク５に接続されたアフィリエイトサーバ３ａやショッピングサーバ３ｂとの間で情報の送受信を行う。
【００４３】
表示部２１は、タッチパネル式のディスプレイである。無線端末２のユーザ（以下、端末ユーザと記載する場合がある）は、表示部２１の画面上を指などで操作することで、表示部２１に表示されたアフィリエイトアプリの操作画面に対する操作が可能である。かかる表示部２１は、例えば、小型のＬＣＤ（Liquid  Crystal  Display）や有機ＥＬディスプレイである。
【００４４】
操作部２２は、文字、数字およびスペースを入力するためのキー、エンターキーおよび矢印キーなどを含むキーボードや、電源ボタンなどを有する。以下において、端末ユーザによる表示部２１の画面の操作や操作部２２への操作を端末ユーザの操作と記載する。
【００４５】
記憶部２３は、例えば、ＲＡＭ（Random  Access  Memory)、フラッシュメモリ等の半導体メモリ素子、または、ハードディスク、光ディスク等の記憶装置である。かかる記憶部２３は各種プログラムや設定データなどが記憶される。記憶部２３に記憶されるプログラムは、例えば、ＯＳ（Operating  System）、アフィリエイトアプリなどである。アフィリエイトアプリは、例えば、アフィリエイトサーバ３ａなどのサーバから取得することができる。
【００４６】
位置検出部２４は、ＧＰＳ（Global  Positioning  System）受信機能を有し、無線端末２の現在位置の情報（以下、位置情報と記載する）を取得する。位置情報は、緯度および経度であるが、住所であってもよい。
【００４７】
撮像部２５は、例えば、端末ユーザが無線端末２を手で保持している状態で、端末ユーザの顔や姿を撮像できる位置に配置される。制御部２７は、端末ユーザが操作部２２へ所定操作をした場合に、撮像部２５による撮像を実行する。
【００４８】
匂い検出部２６は、端末ユーザの匂いを検出する。匂い検出部２６は、例えば、異なる科学物質を検出する棒状のナノセンサーを並べて配置した構造であり、種々の化学物質を検出することができる。制御部２７は、例えば、端末ユーザが操作部２２へ所定操作をした場合に、匂い検出部２６による匂い検出を実行する。なお、匂い検出部２６は、例えば、各化学物質の検出量を匂い検出結果として出力することができる。
【００４９】
制御部２７は、例えば、ＡＳＩＣ（Application  Specific  Integrated  Circuit）やＦＰＧＡ（Field  Programmable  Gate  Array）等の集積回路により実現される。また、制御部２７は、例えば、ＣＰＵ（Central  Processing  Unit）やＭＰＵ（Micro  Processing  Unit）等によって、記憶部２３に記憶されているプログラムが図示しない内部ＲＡＭを作業領域として実行されることにより後述する情報処理の機能や作用を実現または実行する。
【００５０】
かかる制御部２７は、記憶部２３にプログラムデータが記憶されているアフィリエイトアプリを実行することによって、取得部５１、表示制御部５２および通知部５３として機能する。また、制御部２７は、記憶部２３にプログラムデータが記憶されているアフィリエイトアプリを実行することによって、アフィリエイトアプリの設定データなどを記憶部２３に記憶する。なお、制御部２７の構成は、かかる構成に限られず、後述する情報処理を行う構成であれば他の構成であってもよい。
【００５１】
〔３．１．取得部５１〕
取得部５１は、アフィリエイトサーバ３ａから通信ネットワーク５を介して通知される情報を無線通信部２０経由で取得して記憶部２３に記憶する。アフィリエイトサーバ３ａから通知される情報には、例えば、アフィリエイトアプリのプログラムデータ、アフィリエイト情報、紹介情報などの情報がある。
【００５２】
取得部５１は、通信ネットワーク５を介して取得した情報がアフィリエイト情報や紹介情報である場合、取得した情報を記憶部２３の対象情報テーブルに設定する。図３は、対象情報テーブルの一例を示す図である。
【００５３】
図３に示すように、対象情報テーブルは、「取引対象ＩＤ」毎に、「名称」、「紹介数」、「アイコン情報」、「アクセス情報」および「状態フラグ」が関連付けられた情報である。
【００５４】
「取引対象ＩＤ」は、アフィリエイト対象とされる商品またはサービスの情報であり、具体的には、アフィリエイト情報や紹介情報の商品やサービスにそれぞれ割り当てられる情報である。アフィリエイト対象の商品やサービスは、無線端末２のユーザが購入した商品や利用したサービスであっても、メーカーや販売会社による宣伝対象の商品やサービスであってもよい。
【００５５】
図３に示す「取引対象ＩＤ」の例では、末尾にアルファベットが付されていない取引対象ＩＤの情報は、端末ユーザのアフィリエイト情報であり、末尾にアルファベットが付された取引対象ＩＤの情報は、端末ユーザが他の端末ユーザから紹介された紹介情報である。
【００５６】
「名称」は、取引対象である商品またはサービスの名称を示す情報である。図３に示す例では、例えば、取引対象ＩＤ「Ｐ１００」の取引対象の名称は「サングラスＡ」であり、取引対象ＩＤ「Ｐ１０１」の取引対象の名称は「自転車Ｂ」である。
【００５７】
「紹介数」は、アフィリエイト情報では、アフィリエイト対象の商品またはサービスが紹介された第二端末ユーザの数であり、紹介情報では、紹介情報に対応する商品またはサービスを紹介した第一端末ユーザの数である。
【００５８】
「アイコン情報」は、アフィリエイト情報に対応するアフィリエイトアイコンまたは紹介情報に対応する紹介アイコンなどを無線端末２の表示部２１に表示するための情報である。アイコンの情報は、例えば、静止画像データ、アニメーションデータ、動画像データなどである。
【００５９】
「アクセス情報」は、端末ユーザのアクションに応じて表示制御部５２または通知部５３により対象情報テーブルから読み出される情報である。アクセス情報は、オンラインでの取引の場合には、サーバのＵＲＬ（Uniform  Resource  Locator）の情報であり、オフラインでの取引の場合、例えば、バーコード用情報である。かかるバーコード用情報には、例えば、取引対象ＩＤなどの情報が含まれる。
【００６０】
なお、図３に示す「ＵＲＬ＿Ａ」〜「ＵＲＬ＿Ｄ」および「ＵＲＬ＿Ｆ」のそれぞれは、ショッピングサーバ３ｂにおけるショッピングページの場所を示す情報である。なお、ここでは、ショッピングサーバ３ｂを一つのサーバとしているが、ショッピングサーバ３ｂは、複数のサーバから構成されるようにしてもよい。例えば、「ＵＲＬ＿Ａ」〜「ＵＲＬ＿Ｄ」および「ＵＲＬ＿Ｆ」のそれぞれに対してサーバを設けてもよい。
【００６１】
また、オンラインでの取引の場合のアクセス情報は、ショッピングサーバ３ｂのショッピングページのＵＲＬに、例えば、紹介情報に対応する取引対象ＩＤ、端末ユーザのユーザＩＤ、紹介者のユーザＩＤなどの取引情報が付加される。なお、無線端末２からショッピングサーバ３ｂのショッピングページのＵＲＬへアクセスした後に、取引情報をショッピングサーバ３ｂへ通知することもできる。
【００６２】
また、オフラインでの取引の場合のアクセス情報は、紹介情報に対応する取引対象の取引対象ＩＤ（後述する紹介対象ＩＤ）、端末ユーザのユーザＩＤ、紹介者のユーザＩＤなどを含む情報が二次元バーコード化されたものであるが、二次元バーコードの情報に限られない。例えば、無線端末２にＮＦＣ通信が設けられている場合には、オフラインでの取引の場合のアクセス情報を、紹介情報に対応する取引対象の取引対象ＩＤ、端末ユーザのユーザＩＤ、紹介者のユーザＩＤなどを含む情報とし、店舗端末４へ送信するようにしてもよい。
【００６３】
「状態フラグ」は、アフィリエイト対象の紹介状態を示すフラグであり、「０」はアフィリエイト対象が未紹介であることを示し、「１」はアフィリエイト対象が紹介済みであることを示す。
【００６４】
取得部５１は、新たな取引対象の情報をサーバ３から取得する毎に対象情報テーブルを更新する。なお、取得部５１は、アフィリエイトアプリが起動する度に、サーバ３に対して記憶部２３に記憶しているユーザＩＤおよび取得条件の情報を送信し、かかるユーザＩＤに対応する取引対象の情報のうち取得条件を満たす情報をサーバ３から取得することもできる。また、対象情報テーブルは、例えば、報酬（アフィリエイトポイントまたはアフィリエイト料）に関する情報を含むようにしてもよい。
【００６５】
また、取得部５１は、アフィリエイトサーバ３ａから後述する報知情報を取得した場合、報知情報に応じた情報を表示部２１に表示する。報知情報は、例えば、紹介情報の通知対象となる第二端末ユーザが近くに存在し、もう少しで近づくことで紹介情報を通知できる旨の情報や、アフィリエイト情報を有する第一端末ユーザが近くに存在し、もう少しで紹介情報が通知される旨の情報である。
【００６６】
〔３．２．表示制御部５２〕
表示制御部５２は、記憶部２３に記憶された設定データおよび対象情報テーブルに基づいて、アフィリエイトアプリの表示画像を生成し、表示部２１に表示する。設定データには、アフィリエイトポイント、端末ユーザのユーザＩＤおよび取得条件などの各種の情報が含まれる。
【００６７】
図４は、アフィリエイトアプリによって表示部２１に表示される画面の一例を示す図である。図４に示すように、表示部２１の表示画面５０は、アフィリエイト情報領域７１と、紹介情報領域７２と、ポイント情報領域７３とを含む。
【００６８】
アフィリエイト情報領域７１には、アフィリエイト情報に基づくアフィリエイトアイコン６０ａ〜６０ｅ（以下、アフィリエイトアイコン６０と総称する場合がある）が表示される。アフィリエイトアイコン６０ａ〜６０ｅは、図３に示す取引対象ＩＤ「Ｐ１００」〜「Ｐ１０４」に対応するアイコン情報である「データＡ」〜「データＥ」に基づいて表示制御部５２により表示される。
【００６９】
表示制御部５２は、アフィリエイトアイコン６０を表示する場合に、紹介数を考慮する。例えば、図３に示す取引対象ＩＤ「Ｐ１０４」の紹介数は「３」であるため、アフィリエイトアイコン６０ｅには、紹介数「３」に対応する「３」の文字が紹介数を示す情報として含まれる。これにより、端末ユーザは、紹介情報が提供された他の端末ユーザが多いアフィリエイトアイコン６０を一見して判別することができる。なお、図４に示す例では、紹介数を示す情報として文字を付加しているが、表示制御部５２は、文字に代えて図形により紹介数を表現することができ、また、アフィリエイトアイコン６０の形状、色、大きさなどによって紹介数を表現することもできる。
【００７０】
紹介情報領域７２には、紹介情報に基づく紹介アイコン６１ａ、６１ｂ（以下、紹介アイコン６１と総称する場合がある）が表示される。紹介アイコン６１ａ、６１ｂは、図３に示す取引対象ＩＤ「Ｐ１０５ａ」、「Ｐ１０６ａ」に対応するアイコン情報である「データＦ」、「データＧ」に基づいて表示制御部５２により表示される。
【００７１】
表示制御部５２は、紹介アイコン６１を表示する場合に、紹介数を考慮する。例えば、図３に示す取引対象ＩＤ「Ｐ１０５ａ」の紹介数は「１」であるため、紹介アイコン６１ａには、紹介数「１」に対応する「１」の文字が紹介数を示す情報として含まれる。また、取引対象ＩＤ「Ｐ１０６ａ」の紹介数は「８」であるため、紹介アイコン６１ｂには紹介数「８」に対応する「８」の文字が、紹介数を示す情報として含まれる。
【００７２】
これにより、端末ユーザは、紹介数の多い紹介アイコン６１を一見して判別することができる。なお、図４に示す例では、数字を付加しているが、表示制御部５２は、文字に代えて図形により紹介数を表現することができ、また、紹介アイコン６１の形状、色、大きさなどによって紹介数を表現することもできる。
【００７３】
ポイント情報領域７３には、端末ユーザが取得したアフィリエイトポイントが表示される。アフィリエイトポイントは、取得部５１がアフィリエイトサーバ３ａから取得する情報である。かかるアフィリエイトポイントにより端末ユーザは、例えば、ショッピングサーバ３ｂで取引されている商品やサービスを購入または利用することができる。
【００７４】
また、表示制御部５２は、取得部５１により取得された報知情報に応じた表示を表示部２１にすることで、端末ユーザに対して期待感を抱かせることができ、第一端末ユーザおよび第二端末ユーザにとっての行動の動機付けとなる。なお、表示制御部５２は、報知情報に応じた音声を図示しないスピーカから出力することもできる。
【００７５】
〔３．３．通知部５３〕
通知部５３は、位置検出部２４によって取得した位置情報を所定周期で繰り返しアフィリエイトサーバ３ａへ送信する。なお、アフィリエイトサーバ３ａの送信タイミングは端末ユーザの操作によって設定することができ、端末ユーザの操作により設定データが更新される。通知部５３は、設定データが更新された場合、更新後の設定データに基づいた送信タイミングで位置情報をアフィリエイトサーバ３ａへ送信する。
【００７６】
また、通知部５３は、端末ユーザによってアフィリエイトの停止操作があった場合には、アフィリエイト停止要求をアフィリエイトサーバ３ａへ送信する。アフィリエイトの停止操作は、例えば、ダブルクリック操作などによってアフィリエイトアイコン６０毎に行うことができる。
【００７７】
例えば、図４に示す表示画面５０に配置されたアフィリエイトアイコン６０ａを端末ユーザがダブルクリックした場合、アフィリエイトアイコン６０ａに対するアフィリエイト対象についてアフィリエイト停止要求がアフィリエイトサーバ３ａへ送信される。なお、端末ユーザはアフィリエイトアイコン６０ａを再度ダブルクリックすることで、アフィリエイト停止解除要求がアフィリエイトサーバ３ａへ送信され、アフィリエイトの停止を解除することができる。
【００７８】
このように、アフィリエイトアイコン６０毎に、アフィリエイトの停止を行うことができることから、例えば、特定の端末ユーザに紹介情報が送信されないようにでき、また、特定の端末ユーザにだけ紹介情報が送信されるようにもできる。
【００７９】
また、通知部５３は、端末ユーザから入力されたコメント情報をサーバ３へ送信することができる。表示制御部５２は、クリック操作などによってアフィリエイトアイコン６０が選択された場合、コメント情報を入力するためのコメント入力画面（図示せず）を表示部２１に表示する。端末ユーザの操作によってコメント情報が入力されると、通知部５３は、入力されたコメント情報をアフィリエイトアイコン６０の取引対象ＩＤと共にサーバ３へ送信する。
【００８０】
また、通知部５３は、例えば、紹介情報領域７２（図４参照）において、端末ユーザの操作により、紹介アイコン６１がクリック操作された場合、紹介アイコン６１が購入対象として選択されたと判定し、ショッピングサーバ３ｂに対して購入要求を行う。
【００８１】
通知部５３は、購入要求を行う場合、操作対象となった紹介アイコン６１に対応する取引対象の情報を記憶部２３の対象情報テーブルから取得し、また、設定データから端末ユーザのユーザＩＤを取得する。そして、端末ユーザのユーザＩＤおよび紹介アイコン６１に対応する取引対象の情報を含む購入要求をショッピングサーバ３ｂに対して行う。
【００８２】
例えば、図５（ａ）に示す表示画面５０において、端末ユーザが紹介アイコン６１ａをクリックした場合、通知部５３は、取引対象ＩＤ「Ｐ１０５ａ」の情報として、アクセス情報「ＵＲＬ＿Ｆ」を対象情報テーブルから取得する。そして、通知部５３は、通信ネットワーク５を介して「ＵＲＬ＿Ｆ」で示されるショッピングサーバ３ｂのショッピングページへアクセスする。
【００８３】
なお、端末ユーザのユーザＩＤは、例えば、「ＵＲＬ＿Ｆ」に付加されることで、ショッピングサーバ３ｂへ通知される。ショッピングサーバ３ｂのショッピングページにおいて端末ユーザが取引対象の取引を完了した場合、後述するように、ショッピングサーバ３ｂからアフィリエイトサーバ３ａに対して販売情報が通知される。
【００８４】
また、図５（ａ）に示す表示画面５０において、端末ユーザが紹介アイコン６１ｂをクリックした場合、通知部５３は、取引対象ＩＤ「Ｐ１０６ａ」の情報として、アクセス情報「ｃｏｄｅＧ」を対象情報テーブルから取得する。また、通知部５３は、ユーザ端末のユーザＩＤを設定データから取得する。そして、通知部５３は、アクセス情報「ｃｏｄｅＧ」およびユーザ端末のユーザＩＤを含む情報に応じた二次元バーコード画像６２を生成し、例えば、図５（ｂ）に示すように、表示部２１に表示する。かかる二次元バーコード画像６２は、店舗端末４のバーコードリーダで読み取られ、後述するように、店舗端末４からアフィリエイトサーバ３ａに対して販売情報が通知される。
【００８５】
なお、無線端末２にＮＦＣ装置が設けられている場合、通知部５３は、アクセス情報「ｃｏｄｅＧ」およびユーザ端末のユーザＩＤをＮＦＣ装置から店舗端末４へ送信することもできる。
【００８６】
また、通知部５３は、撮像部２５によって撮像された端末ユーザの画像の情報や匂い検出部２６によって検出された端末ユーザの匂いの情報をアフィリエイトサーバ３ａへ送信する。
【００８７】
〔４．アフィリエイトサーバ３ａ〕
次にアフィリエイトサーバ３ａについて説明する。アフィリエイトサーバ３ａは、図２に示すように、通信部３０と、取引対象情報ＤＢ３１と、ユーザ情報ＤＢ３２と、制御部３３とを有する。さらに制御部３３は、取得部３４と、判定部３５と、通知部３６と、付与部３７とを有する。
【００８８】
通信部３０は、ＮＩＣ（Network  Interface  Card）等のインタフェースである。制御部３３は、通信部３０および通信ネットワーク５を介して、ショッピングサーバ３ｂや無線端末２との間で各種の情報を送受信する。
【００８９】
取引対象情報ＤＢ３１およびユーザ情報ＤＢ３２は、例えば、ハードディスク、ＲＡＭ、フラッシュメモリ等の半導体メモリ素子、光ディスク等の記憶装置である。なお、取引対象情報ＤＢ３１およびユーザ情報ＤＢ３２は、一つのＤＢによって構成してもよい。
【００９０】
制御部３３は、例えば、ＡＳＩＣやＦＰＧＡ等の集積回路により実現される。また、制御部３３は、ＣＰＵまたはＭＰＵによって内部の記憶装置に記憶されたプログラムがＲＡＭを作業領域として実行されることで、取得部３４、判定部３５、通知部３６および付与部３７として機能する。なお、制御部３３の構成は、かかる構成に限られず、後述する情報処理を行う構成であれば他の構成であってもよい。
【００９１】
〔４．１．取得部３４〕
取得部３４は、通信ネットワーク５を介して各種情報を取得し、取得した情報に基づき取引対象情報ＤＢ３１の取引情報テーブルやユーザ情報ＤＢ３２のユーザ情報テーブルを更新する。取得部３４が取得する情報としては、例えば、ショッピングサーバ３ｂや店舗端末４から送信される販売情報や、無線端末２から送信される情報などがある。
【００９２】
図６は、取引対象情報ＤＢ３１に記憶された取引情報テーブルの一例を示す図である。図６に示すように、取引情報テーブルは、「取引対象ＩＤ」毎に、「名称」、「数量」、「紹介数」、「アイコン情報」、「アクセス情報」および「紹介フラグ」が関連付けられた情報である。
【００９３】
「取引対象ＩＤ」、「名称」、「紹介数」、「アイコン情報」および「アクセス情報」は、無線端末２の対象情報テーブルと同じ情報である。「数量」は、端末ユーザが購入した商品の数量または利用したサービスの利用回数である。
【００９４】
「紹介フラグ」は、取引対象を紹介可能か否かのフラグであり、紹介フラグが「１」である場合には取引対象が紹介可であり、紹介フラグが「０」である場合には取引対象を紹介不可である。なお、紹介フラグの初期値は、「１」である。
【００９５】
なお、図示しないが取引情報テーブルには、コメント情報を設定することができる。取得部３４は、無線端末２からコメント情報および取引対象ＩＤを取得した場合、かかるコメント情報を取引対象ＩＤに対応付けて取引対象情報ＤＢ３１の取引情報テーブルに設定する。
【００９６】
図７は、ユーザ情報ＤＢ３２に記憶されたユーザ情報テーブルの一例を示す図である。図７に示すように、ユーザ情報テーブルは、「ユーザＩＤ」毎に、「サイコグラフィック属性」、「デモグラフィック属性」、「取引対象ＩＤ」、「紹介対象ＩＤ」、「ポイント」、「位置情報」、「画像情報」および「匂い情報」が関連付けられた情報である。
【００９７】
「ユーザＩＤ」は、端末ユーザに固有の識別情報であり、例えば、サーバ３が提供するサービスに対して端末ユーザに割り当てられるユーザＩＤである。
【００９８】
「サイコグラフィック属性」は、ユーザの価値観、ライフスタイル、性格、嗜好などを示す情報である。ここでは、「サイコグラフィック属性」として、図７に示すように、「車」、「化粧品」、「服」などに区分分けされる。図７に示す例では、区分毎に、ユーザの嗜好が相対的に高い場合に「１」が対応付けられ、それ以外の場合には「０」が対応付けられるが、これに限定されるものではなく、例えば、ユーザの嗜好を３段階以上に評価したものであってもよい。また、区分種別についても、種々の変更が可能である。
【００９９】
「デモグラフィック属性」は、人口統計学的な属性であり、図７に示すように、例えば、ユーザの「性別」、「年齢」などに区分分けされる。図７に示す例では、「性別」の欄では、ユーザが女性である場合に「１」が対応付けられ、ユーザが男性である場合に「２」が対応付けられ、ユーザの性別が不明の場合に「０」が対応付けられる。
【０１００】
また、「年齢」の欄では、ユーザの年齢に１を加算した数字が対応付けられ、ユーザの年齢が不明の場合に「０」が対応付けられる。なお、図７に示す例では、ユーザの性別および年齢を一例として記載しているが、これに限定されるものではなく、ユーザの職業、家族構成、年収、学歴など様々な区分種別を「デモグラフィック属性」とすることができる。
【０１０１】
「取引対象ＩＤ」は、図３に示す「取引対象ＩＤ」と同じ情報である。また、「紹介対象ＩＤ」は、他の端末ユーザから紹介された取引対象の情報に割り当てられた取引対象ＩＤである。
【０１０２】
「ポイント」は、端末ユーザに付与されたアフィリエイトポイントであり、かかるアフィリエイトポイントにより端末ユーザはショッピングサーバ３ｂで取引されている商品またはサービスを購入または利用することができる。
【０１０３】
「位置情報」は、無線端末２の位置を示す情報であり、例えば、緯度および経度であるが、住所であってもよい。図７に示す例では、無線端末２の最新の位置を示す情報がユーザ情報テーブルに設定されているが、所定期間内の位置情報をユーザ情報テーブルに設定することもできる。
【０１０４】
「画像情報」は、無線端末２の撮像部２５によって撮像された端末ユーザの顔や姿の情報である。「匂い情報」は、無線端末２の匂い検出部２６によって検出された端末ユーザの匂いの情報である。図７に示す例では、最新の画像情報や匂い情報がユーザ情報テーブルに設定されているが、所定期間内の画像情報や匂い情報をユーザ情報テーブルに設定することもできる。
【０１０５】
ここで、取引対象情報ＤＢ３１の取引情報テーブルやユーザ情報ＤＢ３２のユーザ情報テーブルの更新について説明する。
【０１０６】
ショッピングサーバ３ｂや店舗端末４から送信される販売情報には、取引対象の取引主体である端末ユーザ（以下、取引ユーザと記載する）のユーザＩＤ、取引対象の情報が含まれる。例えば、端末ユーザが紹介情報に基づかずに取引対象の取り引きを行った場合、ショッピングサーバ３ｂから送信される販売情報には、取引ユーザのユーザＩＤ、取引対象の名称、数量、アイコン情報、アクセス情報などが含まれる。
【０１０７】
この場合、取得部３４は、ショッピングサーバ３ｂから取得した販売情報に取引対象ＩＤを新たに割り当て、名称、数量、アイコン情報、アクセス情報などをアフィリエイト情報として取引対象情報ＤＢ３１に記憶された取引情報テーブルに設定する。また、取得部３４は、ユーザ情報ＤＢ３２に記憶されたユーザ情報テーブルにおいて、新たに割り当てた取引対象ＩＤを取引ユーザのユーザＩＤに対応付けて設定する。
【０１０８】
また、端末ユーザが紹介情報に基づいて取引対象の取り引きを行った場合、ショッピングサーバ３ｂから送信される販売情報には、取引ユーザのユーザＩＤ、後述する紹介対象ＩＤおよび数量などが含まれる。この場合、取得部３４は、取引情報テーブルにおいて、紹介対象ＩＤに対応する取引対象ＩＤに対応付けて数量を設定する。
【０１０９】
このように、取得部３４は、販売情報を取得すると、かかる販売情報に基づき、取引対象情報ＤＢ３１に記憶された取引情報テーブルおよびユーザ情報ＤＢ３２に記憶されたユーザ情報テーブルを更新する。
【０１１０】
また、取得部３４は、通知部３６によって無線端末２に対して紹介情報を送信した場合、取引対象情報ＤＢ３１に記憶された取引情報テーブルおよびユーザ情報ＤＢ３２に記憶されたユーザ情報テーブルを更新する。この場合、取得部３４は、紹介情報の対象である取引対象の取引対象ＩＤの末尾を付加または更新した取引対象ＩＤを取引情報テーブルに追加する。なお、このように追加した取引対象ＩＤを便宜上、紹介対象ＩＤと記載する。
【０１１１】
例えば、取得部３４は、第二端末２ｂとして機能する無線端末２へ紹介する取引対象の取引対象ＩＤが「Ｐ１００」であれば、「Ｐ１００ａ」を紹介対象ＩＤとして取引情報テーブルに追加し、第二端末２ｂとして機能する無線端末２へ紹介する取引対象の取引対象ＩＤが「Ｐ１００ａ」であれば、「Ｐ１００ｂ」を紹介対象ＩＤとして取引情報テーブルに追加する。また、取得部３４は、取引情報テーブルに追加した紹介対象ＩＤを、第一端末２ａとして機能する無線端末２のユーザのユーザＩＤに対応付けてユーザ情報テーブルに追加する。
【０１１２】
さらに、取得部３４は、取引情報テーブルにおいて、新たに追加した紹介対象ＩＤに対応する名称、アイコン情報およびアクセス情報を設定する。これらの情報は、紹介対象ＩＤの元となる取引対象ＩＤの名称、アイコン情報およびアクセス情報である。例えば、紹介対象ＩＤ「Ｐ１００ａ」の名称、アイコン情報およびアクセス情報は、取引対象ＩＤ「Ｐ１００」の名称、アイコン情報およびアクセス情報である。
【０１１３】
また、取得部３４は、無線端末２からアフィリエイト停止要求やアフィリエイト停止解除要求がある場合、かかる要求に基づき、取引対象情報ＤＢ３１に記憶された取引情報テーブルを更新する。具体的には、取得部３４は、アフィリエイト停止要求に含まれる取引対象ＩＤに対応する「紹介フラグ」を「０」に設定する。また、取得部３４は、無線端末２からアフィリエイト停止解除要求に含まれる取引対象ＩＤに対応する「紹介フラグ」を「１」に設定する。
【０１１４】
また、取得部３４は、無線端末２から送信される位置情報、画像情報および匂い情報を取得し、取得した位置情報をユーザＩＤと関連付けてユーザ情報ＤＢ３２のユーザ情報テーブルに設定する。
【０１１５】
〔４．２．判定部３５〕
判定部３５は、第一端末２ａとして機能する無線端末２の位置から所定範囲（例えば、１０ｍの範囲）内に第二端末２ｂとして機能する無線端末２が存在するか否かを判定する。すなわち、上述した第一条件を満たす無線端末２が存在するか否かを判定する。
【０１１６】
具体的には、判定部３５は、取引対象情報ＤＢ３１に記憶された取引情報テーブルにおいて、紹介フラグが「１」に設定されている取引対象ＩＤを判定対象の取引対象ＩＤとして抽出する。そして、判定部３５は、ユーザ情報ＤＢ３２に記憶しているユーザ情報テーブルから、判定対象の取引対象ＩＤに対応付けられたユーザＩＤを判定対象の第一端末ユーザのユーザＩＤとして抽出する。
【０１１７】
判定部３５は、判定対象のユーザＩＤに対応する位置情報を判定対象の位置を示す情報としてユーザ情報ＤＢ３２のユーザ情報テーブルから取得する。また、判定部３５は、判定対象の位置と所定範囲内に存在する位置を示す位置情報を有する他の無線端末２のユーザＩＤを、第一条件を満たす第二端末ユーザのユーザＩＤとしてユーザ情報ＤＢ３２のユーザ情報テーブルから抽出する。第一条件を満たす第二端末ユーザのユーザＩＤが抽出できる場合に、判定部３５は、第一条件を満たす無線端末２が存在すると判定する。
【０１１８】
図８は、無線端末２1〜２3の位置Ｐ1〜Ｐ3と、所定範囲Ｑとの関係を示す図である。無線端末２1は第一端末２ａとして機能し、無線端末２2、２3は第二端末２ｂとしてそれぞれ機能するものとする。図８に示す状態である場合、判定部３５は、無線端末２2を、第一条件を満たす無線端末２として判定し、無線端末２3を第一条件を満たさない無線端末２として判定する。所定範囲Ｑは、第一端末２ａとして機能する無線端末２1を中心として距離Ｘａまでの範囲である。なお、図８に示す所定範囲Ｑでは、円形の範囲としたが、楕円形の範囲や矩形状の範囲であってもよく、所定範囲Ｑの大きさや形は種々の変更が可能である。
【０１１９】
かかる所定範囲Ｑの大きさや形は、アフィリエイト対象単位またはアフィリエイト対象のカテゴリ（例えば、家電、家具、食品、ファッションなど）単位で設定することもでき、また、アフィリエイト対象に関わらず一定とすることもできる。かかる設定は、アフィリエイト対象である商品またはサービスの提供者（例えば、メーカー、販売会社および小売業者など）、または、端末ユーザ、アフィリエイトサーバ３ａの管理者などによって行われる。
【０１２０】
例えば、端末ユーザによる設定は、無線端末２の操作部２２への端末ユーザの操作によって行われ、かかる設定の情報（以下、範囲設定情報と記載する）がアフィリエイトサーバ３ａへ通知される。取得部３４は、例えば、無線端末２から取得した範囲設定情報をユーザ情報テーブルの取引対象ＩＤに関連付けて設定する。また、取得部３４は、アフィリエイト対象である商品またはサービスの提供者（以下、取引対象提供者と記載する場合がある）の端末装置などから範囲設定情報を取得した場合、取得した範囲設定情報を取引情報テーブルの取引対象ＩＤに関連付けて設定する。
【０１２１】
また、アフィリエイト対象単位またはアフィリエイト対象のカテゴリ単位で紹介情報を通知する地域（以下、通知地域と記載する）を範囲設定情報に含めて設定することができる。この場合、判定部３５は、第一端末２ａとして機能する無線端末２の位置または第二端末２ｂとして機能する無線端末２の位置が通知地域内に存在する場合に、上述した第一条件の判定を行う。すなわち、判定部３５は、第一端末２ａまたは第二端末２ｂとして機能する無線端末２が通知地域外である場合には、紹介条件を満たさないと判定する。なお、判定部３５は、第一端末２ａとして機能する無線端末２と第二端末２ｂとして機能する無線端末２とが共に通知地域内に存在する場合に、上述した第一条件の判定を行うこともできる。
【０１２２】
また、判定部３５は、範囲設定情報に基づき、所定範囲Ｑの大きさを、場所によって可変にすることもできる。例えば、判定部３５は、端末ユーザの自宅近くでは、所定範囲Ｑを小さくし、人が集まる場所では所定範囲Ｑを大きくすることができる。また、判定部３５は、端末ユーザの自宅近くでは、所定範囲Ｑを大きくし、人が集まる場所では所定範囲Ｑを小さくすることもできる。なお、この場合、端末ユーザの自宅の位置は例えばユーザ情報テーブルに設定され、人が集まる場所は例えば取引情報テーブルに設定される。
【０１２３】
また、判定部３５は、第一条件として、時間の条件を加えることができる。例えば、判定部３５は、第一端末２ａとして機能する無線端末２の位置から所定範囲Ｑ内に第二端末２ｂとして機能する無線端末２が存在する場合であっても、所定範囲Ｑ内に設定時間Ｔａ以上存在しない無線端末２は、第一条件を満たさないと判定することができる。かかる設定時間Ｔａも範囲設定情報と同様に端末ユーザなどによって設定されて取得部３４によって取得され、取得部３４によってユーザ情報テーブルや取引情報テーブルに設定される。なお、判定部３５は、端末ユーザの属性、天候、季節、曜日などによって、所定範囲Ｑや設定時間Ｔａを変更することもできる。
【０１２４】
また、判定部３５は、第一条件を満たす無線端末２のユーザである第二端末ユーザの属性が、指定ユーザ属性と所定の関係であるか否かを判定する。すなわち、第一条件に加え、上述した第二条件を満たす第二端末ユーザが存在するか否かを判定する。
【０１２５】
第二条件には、第二端末ユーザのユーザ属性が取引対象提供者によって指定されたユーザ属性である指定ユーザ属性と所定の関係にあることという条件Ａと、第二端末ユーザの属性が第一端末ユーザの属性と所定の関係にあることという条件Ｂとがある。
【０１２６】
判定部３５は、第一条件を満たす第二端末ユーザの属性が条件Ａと条件Ｂのいずれか一方または両方を満たす場合に、第二条件を満たす第二端末ユーザが存在すると判定する。かかる第二条件は、所定範囲Ｑと同様に、取引情報テーブルに設定される。例えば、第二条件は、取引対象提供者、端末ユーザ、アフィリエイトサーバ３ａの管理者などによって設定することができ、また、アフィリエイト対象単位またはアフィリエイト対象のカテゴリ単位で設定することもできる。
【０１２７】
例えば、取引対象ＩＤ「Ｐ１０４」（図６参照）のアフィリエイト対象には、条件Ａのみを第二条件とし、取引対象ＩＤ「Ｐ１００」（図６参照）のアフィリエイト対象には、条件Ｂのみを第二条件とすることができる。また、取引対象ＩＤ「Ｐ１０５」（図６参照）のアフィリエイト対象には、条件Ａと条件Ｂとを第二条件とすることができる。
【０１２８】
ここで、第二条件として、条件Ａについて説明する。条件Ａは、上述したように、第二端末ユーザのユーザ属性が指定ユーザ属性と所定の関係にあることである。所定の関係は、例えば、第二端末ユーザのユーザ属性が指定ユーザ属性を含むこと、または、第二端末ユーザのユーザ属性が指定ユーザ属性と関連するユーザ属性を含むことである。
【０１２９】
例えば、取引対象ＩＤ「Ｐ１０３」（図６参照）のアフィリエイト対象「香水Ｄ」の場合、指定ユーザ属性として例えば「香水」や「ブランド品」などが設定される。判定部３５は、ユーザ情報テーブルの「サイコグラフィック属性」において「香水」や「ブランド品」の区分に「１」が設定されているユーザＩＤの第二端末ユーザを、条件Ａを満たす第二端末ユーザとする。
【０１３０】
また、判定部３５は、第二端末ユーザのユーザ属性が指定ユーザ属性を含まない場合であっても、ユーザ情報テーブルに設定されたユーザ情報に基づき、第二端末ユーザが「香水」に興味があると判定した場合に、条件Ａを満たすと判定することもできる。例えば、判定部３５は、「２０代の女性」であるユーザ属性（指定ユーザ属性と関連するユーザ属性）を有している第二端末ユーザを、条件Ａを満たす第二端末ユーザとすることができる。
【０１３１】
次に、第二条件として、条件Ｂについて説明する。条件Ｂは、上述したように、第二端末ユーザの属性が第一端末ユーザの属性と所定の関係にあることである。所定の関係は、例えば、第一端末ユーザのユーザ属性と第二端末ユーザのユーザ属性との一致度が所定値以上であることである。
【０１３２】
判定部３５は、ユーザ情報テーブルに設定された情報に基づいて、第一端末ユーザの属性を判定する。例えば、ユーザＩＤ「Ｕ１」が第一端末ユーザの場合、判定部３５は、「車」、「男性」、「２０才」などがユーザ属性である。
【０１３３】
また、判定部３５は、例えば、ユーザＩＤ「Ｕ１」に対応する「画像情報Ａ」を解析し、第一端末ユーザのユーザ属性を判定することができる。例えば、判定部３５は、画像情報Ａに含まれる第一端末ユーザの顔、服装、宝飾品、髪型、靴、鞄、傘などを検出し、かかる検出結果からユーザ情報（性別、年齢、嗜好品など）を判定することもできる。
【０１３４】
また、判定部３５は、例えば、ユーザＩＤ「Ｕ１」に対応する「匂い情報Ａ」を解析し、第一端末ユーザのユーザ属性を判定することができる。「匂い情報」は、各化学物質の検出量を示す情報であり、例えば、判定部３５は、「匂い情報Ａ」から第一端末ユーザの使用している化粧品や香水などを検出し、また、「匂い情報Ａ」から第一端末ユーザが食べた食品や飲料品を検出することができる。さらに、判定部３５は、「匂い情報Ａ」から第一端末ユーザの病気なども検出することができる。
【０１３５】
判定部３５は、かかる検出結果に基づいて第一端末ユーザのユーザ属性を判定する。例えば、判定部３５は、第一端末ユーザが香水をつけていれば、「香水」の属性があると判定し、また、香水がブランド品であると検出できれば、「ブランド品」の属性があると判定する。また、判定部３５は、例えば、第一端末ユーザが食べた食品がハンバーガーであれば、「ハンバーガー」の属性があると判定する。
【０１３６】
判定部３５は、ユーザ情報テーブルに設定された「サイコグラフィック属性」および「デモグラフィック属性」が第一端末ユーザと第二端末ユーザとで一致度が所定値（例えば、５０％）以上である場合に、条件Ｂを満たす第二端末ユーザがあると判定することができる。また、判定部３５は、ユーザ情報テーブルに設定された「画像情報」や「匂い情報」に基づいて判定された第一端末ユーザのユーザ属性がユーザ情報テーブルに設定された第二端末ユーザのユーザ属性に含まれる場合に、条件Ｂを満たす第二端末ユーザがあると判定することができる。
【０１３７】
このように、判定部３５は、紹介条件を満たす無線端末２（第二端末２ｂ）が存在するか否かを判定する。なお、上述では、紹介条件に第一条件および第二条件を含むものとして説明したが、紹介条件は、例えば、第一条件のみとすることもできる。
【０１３８】
なお、判定部３５は、第二条件は満たすが第一条件を満たさない第二端末ユーザが所定範囲Ｑまで所定距離（例えば、５０ｍ）内にあるか否かを判定することもできる。すなわち、判定部３５は、第一端末ユーザ側の観点からは、紹介情報の通知対象となる可能性が高い第二端末ユーザがあることの判定を行うことができ、第二端末ユーザ側の観点からは、紹介情報が通知される可能性が高いことの判定を行うことができる。
【０１３９】
〔４．３．通知部３６〕
通知部３６は、判定部３５によって紹介条件を満たすと判定された第二端末ユーザの無線端末２に対し、取引対象情報ＤＢ３１に記憶されているアフィリエイト対象の商品またはサービスの情報を紹介情報として通信部３０から送信する。これにより、第二端末ユーザを紹介先ユーザとして紹介情報を通知することができる。
【０１４０】
第二端末ユーザに送信される紹介情報は、アフィリエイト対象の商品またはサービスの情報であり、かかる商品またはサービスの取引対象ＩＤ、名称、アイコン情報、アクセス情報および紹介数を含む。通知部３６は、取引情報テーブルから紹介対象の取引対象ＩＤ、名称、アイコン情報、アクセス情報および紹介数を読み出し、読み出した情報を第二端末ユーザの無線端末２へ送信する。また、通知部３６は、取引対象ＩＤに対応付けてコメント情報が設定されている場合には、紹介情報と共にコメント情報を第二端末ユーザの無線端末２に対して送信する。
【０１４１】
また、通知部３６は、第二条件は満たすが第一条件を満たさない第二端末ユーザが所定範囲Ｑまで所定距離（例えば、５０ｍ）内に存在する場合に、紹介情報の通知対象となる第二端末ユーザが近くに存在し、もう少し近づくことで紹介情報を通知できる旨を報知情報として第一端末ユーザの無線端末２へ通知することができる。また、通知部３６は、アフィリエイト情報を有する第一端末ユーザが近くに存在し、もう少し近づくことで紹介情報が通知される旨を報知情報として第二端末ユーザの無線端末２へ通知することができる。
【０１４２】
〔４．４．付与部３７〕
付与部３７は、紹介情報の送信先の第二端末ユーザが紹介情報に対応する取引対象を取り引きした場合に、紹介元ユーザである第一端末ユーザに対して報酬としてアフィリエイトポイントを付与する。
【０１４３】
付与部３７は、ショッピングサーバ３ｂや店舗端末４から送信される販売情報に含まれる紹介対象ＩＤに基づき、紹介情報の送信先である第二端末ユーザが紹介情報に対応する取引対象を取り引きした第二端末ユーザと判定し、かかる第二端末ユーザにアフィリエイトポイントを付与する。
【０１４４】
具体的には、ショッピングサーバ３ｂや店舗端末４から送信される販売情報に含まれる取引対象ＩＤ（紹介対象ＩＤ）がユーザ情報テーブルに設定されたユーザＩＤの端末ユーザ（紹介元ユーザである第一端末ユーザ）に対してアフィリエイトポイントを付与する。付与部３７は、例えば、紹介対象ＩＤに対応する取引対象の取引価格の所定割合（例えば、５％）をアフィリエイトポイントに設定することができる。
【０１４５】
また、付与部３７は、ユーザ情報テーブルに基づき、例えば、紹介対象ＩＤに応じたアフィリエイトポイントを紹介元ユーザである第一端末ユーザに付与することができる。例えば、付与部３７は、ショッピングサーバ３ｂや店舗端末４から送信される販売情報に含まれる取引対象ＩＤ（紹介対象ＩＤ）の末尾が「ａ」の場合のアフィリエイトポイントよりも「ｂ」の場合のアフィリエイトポイントを低く設定する。
【０１４６】
紹介対象ＩＤの末尾「ａ」は、第一端末ユーザが紹介情報に基づかずに取り引きした取引対象を紹介した場合に付される番号である。また、紹介対象ＩＤの末尾「ｂ」は、末尾「ａ」の紹介対象ＩＤの紹介情報に基づいて第一端末ユーザが取り引きした取引対象を紹介した場合に付される番号である。
【０１４７】
なお、末尾「ｂ」の紹介対象ＩＤの紹介情報に基づいて第二端末ユーザが取り引きした取引対象を第一端末ユーザとして紹介した場合に付される番号は、末尾「ｃ」である。付与部３７は、ショッピングサーバ３ｂや店舗端末４から送信される販売情報に含まれる紹介対象ＩＤの末尾が「ｂ」の場合のアフィリエイトポイントよりも「ｃ」の場合のアフィリエイトポイントを低く設定する。このように、紹介される毎にアフィリエイトポイントが低くなる。
【０１４８】
付与部３７は、付与したアフィリエイトポイントの情報を紹介元ユーザである第一端末ユーザの無線端末２へ送信する。これにより、第一端末ユーザは、付与されたアフィリエイトポイントの情報を把握することができる。
【０１４９】
また、複数の第一端末ユーザから同一の第二端末ユーザに対して同一の取引対象が紹介され、かかる取引対象が取り引きされた場合には、各第一端末ユーザに対して報酬としてアフィリエイトポイントを付与する。なお、付与部３７は、アフィリエイトポイントは、紹介タイミングが早ければ早いほど高くなるように設定することができ、また、紹介タイミングが遅ければ遅いほど高くなるように設定することもできる。
【０１５０】
〔５．ショッピングサーバ３ｂ〕
次にショッピングサーバ３ｂについて説明する。ショッピングサーバ３ｂは、図２に示すように、通信部４０と、販売情報ＤＢ４１と、制御部４２とを有する。さらに制御部４２は、販売処理部４３と、通知部４４とを有する。
【０１５１】
通信部４０は、ＮＩＣ等のインタフェースである。制御部４２は、通信部４０および通信ネットワーク５を介して、アフィリエイトサーバ３ａや無線端末２との間で各種の情報を送受信する。
【０１５２】
販売情報ＤＢ４１は、例えば、ハードディスク、ＲＡＭ、フラッシュメモリ等の半導体メモリ素子、光ディスク等の記憶装置である。かかる販売情報ＤＢ４１には、ショッピングページの情報や取引対象である商品やサービスの情報などが含まれる。
【０１５３】
制御部４２は、例えば、ＡＳＩＣやＦＰＧＡ等の集積回路により実現される。また、制御部４２は、ＣＰＵまたはＭＰＵによって内部の記憶装置に記憶されたプログラムがＲＡＭを作業領域として実行されることで、販売処理部４３および通知部４４として機能する。なお、制御部４２の構成は、かかる構成に限られず、後述する情報処理を行う構成であれば他の構成であってもよい。
【０１５４】
販売処理部４３は、販売情報ＤＢ４１に記憶された情報に基づき、無線端末２からのアクセスに対してショッピングページを提供し、また、ショッピングページにおいて無線端末２から送信される購入要求に対して取引対象の販売処理を行う。販売処理は、例えば、決済処理や発送手配である。販売処理部４３は、取引対象の販売処理を行った場合、購入要求の送信元の無線端末２に対して販売処理完了通知を行う。
【０１５５】
通知部４４は、端末ユーザに販売した取引対象の情報を販売情報ＤＢ４１から取得し、端末ユーザへの販売情報としてアフィリエイトサーバ３ａへ送信する。通知部４４によって送信される販売情報には、例えば、取引対象の名称、数量、アイコン情報、アクセス情報および販売日時の情報の他、販売先の端末ユーザのユーザＩＤを含む。
【０１５６】
なお、販売日時とは、例えば、販売処理部４３が取引対象の販売処理を行った日時である。また、通知部４４は、端末ユーザに販売した取引対象が紹介情報に基づいて取引された取引対象である場合、端末ユーザから取得した取引対象ＩＤ（紹介対象ＩＤ）および取引した数量や紹介者のユーザＩＤを端末ユーザへの販売情報としてアフィリエイトサーバ３ａへ送信する。
【０１５７】
〔６．アフィリエイトシステム１の処理フロー〕
次に、実施形態に係るアフィリエイトシステム１による情報提供処理の手順について説明する。図９および図１０は、アフィリエイトシステム１によるアフィリエイト処理フローを説明するための図である。以下においては、図９を参照して無線端末２の処理を説明し、図１０を参照し、アフィリエイトサーバ３ａの処理を説明する。
【０１５８】
〔６．１．無線端末２の処理フロー〕
まず、実施形態に係る無線端末２の情報処理について、図９を参照して説明する。図９は、無線端末２における情報処理のフローチャートである。
【０１５９】
図９に示すように、端末ユーザの操作によってアフィリエイトアプリが起動されると、無線端末２の制御部２７は、ユーザ登録が行われているか否かを判定する（ステップＳ２０）。ユーザ登録が行われていないと判定すると（ステップＳ２０；Ｎｏ）、制御部２７は、ユーザ登録処理を行う（ステップＳ２１）。
【０１６０】
制御部２７は、ユーザ登録処理において、ユーザ設定登録画面（図示せず）を表示部２１に表示し、端末ユーザに登録情報の入力を促す。登録情報には、ユーザＩＤ、パスワードおよびユーザ属性（性別、年齢、住所など）がある。登録情報の入力があると、制御部２７は、登録情報を含む登録要求をアフィリエイトサーバ３ａへ送信する。
【０１６１】
ユーザ登録が行われていると判定した場合（ステップＳ２０；Ｙｅｓ）、または、ステップＳ２１の処理が終了した場合、アフィリエイトアプリの表示処理を行う（ステップＳ２２）。具体的には、制御部２７は、記憶部２３に記憶している対象情報テーブルに基づいて、表示画面５０（例えば、図４参照）の画像を生成して表示部２１に表示する。
【０１６２】
次に、制御部２７は、撮像部２５によって撮像された画像情報や匂い検出部２６によって検出された匂い情報をアフィリエイトサーバ３ａへ送信する（ステップＳ２３）。画像情報や匂い情報は、ユーザ操作によって撮像部２５や匂い検出部２６により取得される情報であるが、制御部２７は、匂い検出部２６から匂い情報を定期的に取得してアフィリエイトサーバ３ａへ送信することもできる。
【０１６３】
ステップＳ２３の処理が終了すると、制御部２７は、位置検出部２４によって検出された位置情報をアフィリエイトサーバ３ａへ送信する（ステップＳ２４）。そして、制御部２７は、サーバ３から情報を取得したか否かを判定する（ステップＳ２５）。かかる処理において、制御部２７は、例えば、アフィリエイトサーバ３ａから販売情報や紹介情報を取得したか否か、または、ショッピングサーバ３ｂから販売処理完了通知を取得したか否かを判定する。
【０１６４】
サーバ３から情報を取得したと判定すると（ステップＳ２５；Ｙｅｓ）、制御部２７は、取引対象テーブルを更新すると共に、アフィリエイトアプリの再表示処理を行う（ステップＳ２６）。例えば、制御部２７は、アフィリエイトサーバ３ａから販売情報を取得した場合、取得した販売情報に応じたアフィリエイトアイコン６０を表示画面５０に設定して表示部２１に表示し、アフィリエイトサーバ３ａから紹介情報を取得した場合、取得した紹介情報に応じた紹介アイコン６１を表示画面５０に設定して表示部２１に表示する。
【０１６５】
また、制御部２７は、紹介商品の購入要求に対してショッピングサーバ３ｂから販売処理完了通知を取得した場合、取得した販売処理完了通知に対応する紹介アイコン６１をアフィリエイトアイコン６０へ変更して表示画面５０に設定して表示部２１に表示することもできる。
【０１６６】
ステップＳ２５においてサーバ３から情報を取得していないと判定した場合（ステップＳ２５；Ｎｏ）、または、ステップＳ２６の処理が終了した場合、制御部２７は、表示画面５０に設定されたアフィリエイトアイコン６０または紹介アイコン６１が選択されたか否かを判定する（ステップＳ２７）。
【０１６７】
アイコンが選択されたと判定すると（ステップＳ２７；Ｙｅｓ）、制御部２７は、選択方法に応じて選択されたアイコンに対応する情報を送信する（ステップＳ２８）。例えば、紹介アイコン６１がユーザ操作により選択されたとする。この場合、制御部２７は、紹介アイコン６１に対応するアクセス情報がショッピングサーバ３ｂのＵＲＬであれば、紹介アイコン６１に対応する購入要求をショッピングサーバ３ｂに対して行う。また、制御部２７は、紹介アイコン６１に対応するアクセス情報がバーコード用情報であれば、アクセス情報および端末ユーザのユーザＩＤに対応する２次元バーコードを表示部２１に表示する。
【０１６８】
アイコンが選択されていないと判定した場合（ステップＳ２７；Ｎｏ）、または、ステップＳ２８の処理が終了した場合、制御部２７は、端末ユーザによりアフィリエイトアプリの終了操作が行われたか否かを判定する（ステップＳ２９）。アフィリエイトアプリの終了操作が行われていないと判定した場合（ステップＳ２９；Ｎｏ）、制御部２７は、処理をステップＳ２４へ移行し、アフィリエイトアプリの終了操作が行われたと判定した場合（ステップＳ２９；Ｙｅｓ）、制御部２７は、情報処理を終了する。
【０１６９】
〔６．２．アフィリエイトサーバ３ａの処理フロー〕
次に、実施形態に係るアフィリエイトサーバ３ａの情報処理について、図１０を参照して説明する。図１０は、アフィリエイトサーバ３ａにおける情報処理のフローチャートである。
【０１７０】
図１０に示すように、アフィリエイトサーバ３ａの制御部３３は、無線端末２からユーザ登録要求があるか否かを判定する（ステップＳ３０）。ユーザ登録要求があると判定すると（ステップＳ３０；Ｙｅｓ）、制御部３３は、ユーザ情報テーブルを更新する（ステップＳ３１）。かかる処理において、制御部３３は、ユーザ登録要求に含まれるユーザＩＤなどをユーザ情報テーブルに設定する。
【０１７１】
ユーザ登録要求がないと判定した場合（ステップＳ３０；Ｎｏ）、または、ステップＳ３１の処理が終了した場合、制御部３３は、無線端末２から情報（例えば、位置情報、画像情報、匂い情報など）を取得したか否かを判定する（ステップＳ３２）。かかる処理において、無線端末２から情報を取得したと判定すると（ステップＳ３２；Ｙｅｓ）、受信した情報をユーザ情報テーブルに設定してユーザ情報テーブルを更新する（ステップＳ３３）。
【０１７２】
無線端末２から情報を取得していないと判定した場合（ステップＳ３２；Ｎｏ）、または、ステップＳ３３の処理が終了した場合、制御部３３は、紹介条件を満たす第二端末ユーザがあるか否かを判定する（ステップＳ３４）。かかる処理において、制御部３３は、上述したように、各第一端末ユーザについて、紹介条件を満たす第二端末ユーザが存在するか否かを判定する。
【０１７３】
紹介条件を満たす第二端末ユーザが存在すると判定すると（ステップＳ３４；Ｙｅｓ）、制御部３３は、紹介条件を満たす第二端末ユーザの無線端末２に対して紹介情報を送信する（ステップＳ３５）。ステップＳ３５の処理が終了した場合、制御部３３は、取引情報テーブルおよびユーザ情報テーブルを更新する（ステップＳ３６）。具体的には、制御部３３は、紹介対象である商品またはサービスの取引対象ＩＤに基づいて新たに割り当てた紹介対象ＩＤおよび対応する情報を取引情報テーブルに設定する。また、制御部３３は、ユーザ情報テーブルにおいて、新たに割り当てた紹介対象ＩＤを紹介元ユーザである第一端末ユーザのユーザＩＤに対応して設定する。
【０１７４】
紹介条件を満たす第二端末ユーザが存在していないと判定した場合（ステップＳ３４；Ｎｏ）、または、ステップＳ３６の処理が終了した場合、制御部３３は端末ユーザに対する販売情報を、ショッピングサーバ３ｂから取得したか否かを判定する（ステップＳ３７）。ユーザ端末に対する販売情報をショッピングサーバ３ｂから取得したと判定すると（ステップＳ３７；Ｙｅｓ）、制御部３３は、取引情報テーブルおよびユーザ情報テーブルを更新する（ステップＳ３８）。
【０１７５】
ユーザ端末の販売情報を取得していないと判定した場合（ステップＳ３７；Ｎｏ）、および、ステップＳ３８の処理が終了した場合、制御部３３は、情報処理を終了する。
【０１７６】
〔７．変形例〕
〔７．１．第一変形例〕
上述の実施形態では、アフィリエイトサーバ３ａが第一条件を満たす第二端末ユーザを判定するものであるが、第一端末２ａとして機能する無線端末２の制御部２７が第一条件を満たす第二端末ユーザを判定することもできる。
【０１７７】
図１１は、第一変形例のアフィリエイトシステムの具体的構成の一例を示す図である。なお、上述したアフィリエイトシステム１と異なる点を中心に説明し、アフィリエイトシステム１と同様の機能を有する構成要素については同一符号を付して説明を省略する。
【０１７８】
図１１に示すように、無線端末２Ａは、近距離無線通信部２８を備える。近距離無線通信部２８は、定期的に無線信号を送信することで、他の無線端末２Ａを検出する。かかる近距離無線通信部２８は、例えば、Ｆｅｌｉｃａ、ＩＳＯ／ＩＥＣ１４４４３、Ｂｌｕｅｔｏｏｔｈ（登録商標）、無線ＬＡＮ通信などの通信方式を採用した通信装置である。近距離無線通信部２８による通信は、電波に限定されるものではなく、例えば、赤外線通信、可視光通信、音波などを用いることもできる。
【０１７９】
無線端末２Ａの制御部２７Ａは、判定部５４を備える。判定部５４は、近距離無線通信部２８による検出結果に基づいて、所定範囲Ｑ内に第二端末ユーザの無線端末２Ａが存在するか否かを判定する。近距離無線通信部２８は、第二端末ユーザの無線端末２Ａから送信される無線信号の強度の情報を取得して制御部２７Ａへ通知する。所定範囲Ｑは上述した実施形態の場合と同様に設定および変更が可能である。例えば、端末ユーザの操作によってアフィリエイト対象単位で所定範囲Ｑの設定が可能であり、記憶部２３に範囲設定情報として記憶される。
【０１８０】
なお、制御部２７Ａは、近距離無線通信部２８から通知される無線信号の強度の情報に基づいて第二端末ユーザの無線端末２Ａの位置を判定する。無線信号の強度は、例えば、無線信号が電波信号である場合には電波強度であり、無線信号が光信号である場合には、光の強度である。
【０１８１】
判定部５４によって所定範囲Ｑ内に第二端末ユーザの無線端末２Ａが存在すると判定されると、通知部５３Ａは、第二端末ユーザの無線端末２Ａの情報（例えば、端末ＩＤ）または第二端末ユーザのユーザＩＤを判定結果情報として送信する。なお、端末ＩＤやユーザＩＤは、例えば、近距離無線通信部２８から送信される無線信号に含むことができ、制御部２７Ａは、無線信号に含まれる端末ＩＤやユーザＩＤを近距離無線通信部２８経由で取得する。また、通知部５３Ａは、上述の処理以外は、通知部５３と同様の処理を行う。
【０１８２】
アフィリエイトサーバ３Ａａの取得部３４Ａは、無線端末２Ａから送信される判定結果情報を取得する。なお、取得部３４Ａのその他の処理は、取得部３４と同様である。アフィリエイトサーバ３Ａａの判定部３５Ａは、無線端末２Ａからの判定結果情報が取得部３４Ａにより取得された場合に、第一条件を満たす第二端末ユーザが存在すると判定する。なお、ユーザ情報テーブルにはユーザＩＤに端末ＩＤが対応付けて設定される。
【０１８３】
また、無線端末２Ａは、判定結果情報に代えて、ユーザＩＤ（または端末ＩＤ）と信号強度の情報を送信することもできる。この場合、判定部３５Ａは、ユーザＩＤ（または端末ＩＤ）と信号強度の情報に基づいて第一条件を満たす第二端末ユーザを判定することもできる。
【０１８４】
このように、第一変形例に係るアフィリエイトシステム１Ａでは、第一端末２ａである無線端末２Ａが、第二端末２ｂである無線端末２Ａと無線通信を行う近距離無線通信部２８を備え、判定部５４が、近距離無線通信部２８による通信結果に基づいて、所定範囲Ｑ内に位置する第二端末２ｂである無線端末２Ａを判定する。これにより、アフィリエイトサーバ３Ａａで各無線端末２Ａの位置情報を取得する処理などを軽減することができる。
【０１８５】
〔７．２．第二変形例〕
上述の実施形態や第一変形例では、アフィリエイトサーバ３ａ（３Ａａ）が無線端末２（２Ａ）に対して紹介情報を送信するものであるが、無線端末２間で紹介情報を送受信するようにもできる。
【０１８６】
図１２は、第二変形例のアフィリエイトシステムの具体的構成の一例を示す図である。なお、上述したアフィリエイトシステム１（１Ａ）と異なる点を中心に説明し、アフィリエイトシステム１（１Ａ）と同様の機能を有する構成要素については同一符号を付して説明を省略する。
【０１８７】
図１２に示すように、第二変形例のアフィリエイトシステム１Ｂは、無線端末２Ｂと、アフィリエイトサーバ３Ｂａを有する。無線端末２Ｂは、無線端末２Ａと同様に近距離無線通信部２８を備え、無線端末２Ｂの制御部２７Ｂは、取得部５１Ｂと、表示制御部５２と、通知部５３Ｂと、判定部５４Ｂとを備える。
【０１８８】
取得部５１Ｂは、アフィリエイトサーバ３Ｂａまたはショッピングサーバ３ｂから販売情報を取得し、アフィリエイト情報として対象情報テーブル（図３参照）に設定する。対象情報テーブルに設定されるアフィリエイト情報には、例えば、指定ユーザ属性なども含まれる。また、取得部５１Ｂは、近距離無線通信部２８を介して第二端末２ｂとして機能する無線端末２Ｂの通知部５３Ｂから送信される端末情報を取得し、対象情報テーブル（図３参照）に設定する。かかる端末情報には、例えば、第二端末ユーザの属性などの情報が含まれる。
【０１８９】
通知部５３Ｂは、通知部５３と同様に、紹介アイコン６１がクリック操作された場合、紹介アイコン６１が購入対象として選択されたと判定し、ショッピングサーバ３ｂに対して購入要求を行う。これにより、紹介アイコン６１に対応する取引対象の取り引きが行われ、アフィリエイトサーバ３Ｂａの付与部３７によって、第一端末ユーザに対して報酬が付与される。
【０１９０】
判定部５４Ｂは、第二端末２ｂとして機能する無線端末２Ｂから近距離無線通信部２８を介して送信される端末情報に基づき、第二条件を満たす第二端末ユーザであるか否かを判定する。なお、第一条件の判定は、判定部５４と同様である。すなわち、判定部５４Ｂは、判定部５４と同様に、近距離無線通信部２８による通信結果に基づいて、所定範囲Ｑ内に位置する第二端末２ｂである無線端末２Ｂを判定する。
【０１９１】
このように、第二変形例に係るアフィリエイトシステム１Ｂでは、無線端末２Ｂ間で情報の送受信が行われ、紹介条件を満たす第二端末ユーザが判定される。これにより、アフィリエイトサーバ３ａでの処理を軽減することができる。なお、上述したアフィリエイトシステム１Ｂでは、近距離無線通信部２８を介して無線端末２Ｂ間で端末情報を送受信するものであるが、アフィリエイトサーバ３Ｂａを介して無線端末２Ｂ間で端末情報を送受信するようにしてもよい。
【０１９２】
〔７．３．その他の変形例〕
上述した実施形態や変形例では、第一端末ユーザの位置から所定範囲Ｑ内に存在する第二端末ユーザを判定し、かかる第二端末ユーザに対して紹介情報を送信することにしたが、第一端末ユーザの位置から所定範囲Ｑ内に過去または将来の所定期間（例えば、５分間）内に存在したまたは存在する第二端末ユーザに対して紹介情報を送信することもできる。
【０１９３】
また、上述した実施形態や変形例では、紹介情報単位で通知するものとして説明したが、複数の紹介情報を同時に通知することもできる。例えば、第一端末ユーザがアフィリエイトアイコン６０を移動させて他のアフィリエイトアイコン６０へ重ねる操作を行った場合、かかる情報が例えばアフィリエイトサーバ３ａまたは無線端末２Ｂに設定される。そして、重ねられた２つのアフィリエイトアイコン６０に対応する取引対象が同時に紹介情報として第二端末２ｂである無線端末２（２Ａ，２Ｂ）へ通知される。
【０１９４】
このようにすることで、例えば、関連する複数の取引対象の情報を同時に紹介することができ、紹介先ユーザによる購入の可能性を向上させることができる。なお、制御部３３（３３Ａ）または制御部２７Ｂは、第二条件が条件Ａの場合、アフィリエイトアイコン６０に対応する取引対象のうちいずれかの指定ユーザ属性と所定の関係ユーザ属性を有する第二端末ユーザに紹介情報を送信する。
【０１９５】
また、アフィリエイトサーバ３ａ（３Ａａ、３Ｂａ）の制御部３３（３３Ａ、３３Ｂ）は、紹介情報に基づいて取引対象が取り引きされた場合、第一端末ユーザの無線端末２（２Ａ、２Ｂ）に対してアフィリエイト完了通知を送信してもよい。この場合、第一端末ユーザの無線端末２（２Ａ、２Ｂ）の制御部２７（２７Ａ、２７Ｂ）は、アフィリエイト完了通知に対応する紹介アイコン６１にアフィリエイト完了通知を受信した数を示す情報を付加するようにしてもよい。
【０１９６】
また、端末ユーザは、紹介情報を受け付ける条件（以下、受付条件と記載する）を設定することもできる。かかる受付条件は、無線端末２（２Ａ、２Ｂ）からアフィリエイトサーバ３ａへ送信される。制御部３３は、受付条件を満たす紹介情報を端末ユーザの無線端末２へ送信する。受付条件は、例えば、取引対象のカテゴリや内容、通知場所などである。このように、受付条件を端末ユーザが設定することで、第二端末ユーザが所望する適切なアフィリエイト広告が可能となる。
【０１９７】
また、アフィリエイトサーバ３ａ（３Ａａ、３Ｂａ）の制御部３３（３３Ａ、３３Ｂ）は、アフィリエイト料に対応する情報を事前に端末ユーザの無線端末２（２Ａ、２Ｂ）へ通知するようにしてもよい。この場合、制御部２７（２７Ａ、２７Ｂ）は、アフィリエイト料の情報が識別可能にアフィリエイトアイコン６０を表示部２１に表示することができる。
【０１９８】
上述の実施形態では、アフィリエイトサーバ３ａ（３Ａａ、３Ｂａ）から送信されるアフィリエイト情報や紹介情報には、取引対象ＩＤ、名称、アイコン情報およびアクセス情報が含まれるが、かかる情報に限定されるものではなく、種々の情報を設定することができる。例えば、アフィリエイト情報や紹介情報には、名称の情報を含まないようにしてもよい。また、取引対象ＩＤだけでショッピングサーバ３ｂや店舗端末４との間で取り引きが可能である場合には、アフィリエイト情報や紹介情報には、取引対象ＩＤとアイコン情報だけを含むようにしてもよい。さらに、無線端末２でアイコンを表示しない場合には、取引対象ＩＤと名称だけを、アフィリエイト情報や紹介情報に含むようにしてもよい。
【０１９９】
また、上述の実施形態では、サービスの利用として、例えば、レストランでの飲食や映画館での映画鑑賞などを例に挙げて説明したが、かかる例に限定されるものではない。例えば、取引対象のカタログや資料の送付などもサービスの利用として上述した処理により報酬の対象とすることもできる。
【０２００】
〔８．効果〕
実施形態にかかるアフィリエイトシステム１、１Ａ、１Ｂは、第一端末２ａと第二端末２ｂと含む複数の無線端末２、２Ａ、２Ｂと、アフィリエイトサーバ３ａ、３Ａａ、３Ｂａとを備え、取引対象情報ＤＢ３１または記憶部２３（紹介情報記憶手段の一例）が、第一端末ユーザから第二端末ユーザへの紹介情報を記憶し、通知部３６、５３Ｂ（紹介情報通知手段の一例）が、第一端末２ａ（２、２Ａ、２Ｂ）の位置から所定範囲Ｑ内に第二端末２ｂ（２、２Ａ、２Ｂ）が存在する場合に、第二端末２ｂ（２、２Ａ、２Ｂ）に対して取引対象情報ＤＢ３１に記憶された紹介情報を通知し、付与部３７（付与手段の一例）が、第二端末ユーザが紹介情報に基づいて商品またはサービスの購入または利用をした場合に、第一端末ユーザに対して報酬を付与する。
【０２０１】
かかる構成により、第一端末ユーザは、第二端末ユーザがいる場所に移動することで積極的に紹介情報を第二端末ユーザへ通知でき、アフィリエイタがオフラインで積極的に行動することで、アフィリエイト報酬を得ることができる新たなアフィリエイト広告の仕組みを提供できる。
【０２０２】
また、アフィリエイトサーバ３ａ、３Ａａの通知部３６または取得部３４、３４Ａ（属性情報取得手段の一例）が、紹介情報に対応する商品またはサービスの提供者によって指定された属性情報を示す第一属性情報（指定ユーザ属性の情報）と、第二端末２ｂ（２、２Ａ、２Ｂ）のユーザの属性を示す第二属性情報とを取得し、通知部３６が、第一端末２ａ（２、２Ａ、２Ｂ）の位置から所定範囲Ｑ内に第二端末２ｂ（２、２Ａ、２Ｂ）が存在し、かつ、第一属性情報と第二属性情報とが所定の関係にある場合に、第二端末２ｂ（２、２Ａ、２Ｂ）に対して紹介情報を通知する。
【０２０３】
かかる構成により、第一端末ユーザの近くにいる全ての第二端末ユーザに対して紹介情報が送信されることがなく、スパム的な広告配信を抑制することができる。そのため、紹介情報が無視されやすくなることを防止できる。また、アフィリエイト対象の商品またはサービスを購入または利用する可能性がある第二端末ユーザに対して紹介情報が通知され、これにより、アフィリエイト広告による効果を効果的に発揮することができる。
【０２０４】
また、通知部３６または取得部３４、３４Ａ、５１Ｂ（属性情報取得手段の一例）が、第一端末ユーザの属性を示す第一属性情報と、第二端末ユーザの属性を示す第二属性情報とを取得し、通知部３６が、第一端末２ａ（２、２Ａ、２Ｂ）の位置から所定範囲Ｑ内に第二端末２ｂ（２、２Ａ、２Ｂ）が存在し、かつ、第一属性情報と第二属性情報とが所定の関係にある場合に、第二端末２ｂ（２、２Ａ、２Ｂ）に対して紹介情報を通知する。
【０２０５】
かかる構成により、第一端末ユーザの近くにいる全ての第二端末ユーザに対して紹介情報が送信されることがなく、スパム的な広告配信を抑制することができる。そのため、紹介情報が無視されやすくなることを防止できる。また、アフィリエイト対象の商品またはサービスを購入または利用する可能性がある第二端末ユーザに対して紹介情報が通知され、これにより、アフィリエイト広告による効果を効果的に発揮することができる。
【０２０６】
また、第一端末２ａ（２、２Ａ）の撮像部２５（撮像手段の一例）が、第一端末ユーザの画像を撮像し、通知部５３、５３Ａ（送信手段の一例）が、第一端末ユーザの画像の情報をアフィリエイトサーバ３ａ、３Ａａへ送信する。また、アフィリエイトサーバ３ａ、３Ａａの判定部３５、３５Ａ（属性判定手段の一例）が、撮像部２５によって撮像された第一端末ユーザの画像を解析して第一端末ユーザの属性を示す属性情報を判定し、通知部３６が判定部３５、３５Ａの判定結果を第一属性情報として取得する。
【０２０７】
かかる構成により、第一端末２ａ（２、２Ａ）のユーザ属性として最新のユーザ属性に基づき、紹介情報の通知を行うことができる。
【０２０８】
また、第一端末２ａ（２、２Ａ）の匂い検出部２６（匂い検出手段の一例）が、第一端末ユーザの匂いを検出し、通知部５３、５３Ａが、第一端末ユーザの匂いの情報をアフィリエイトサーバ３ａ、３Ａａへ送信する。また、アフィリエイトサーバ３ａ、３Ａａの判定部３５、３５Ａ（属性判定手段の一例）が、匂い検出部２６によって検出された第一端末ユーザの匂いを解析して第一端末ユーザの属性を示す属性情報を判定し、通知部３６が、判定部３５、３５Ａの判定結果を第一属性情報として取得する。
【０２０９】
かかる構成により、第一端末２ａ（２、２Ａ）のユーザ属性として最新のユーザ属性に基づき、紹介情報の通知を行うことができる。
【０２１０】
また、通知部３６が、第一端末２ａ（２、２Ａ）の位置から所定範囲Ｑ内に所定時間以上滞在していない第二端末２ｂ（２、２Ａ）に対しては、紹介情報の通知を行わない処理を行う。
【０２１１】
かかる構成により、例えば、第一端末ユーザまたは第二端末ユーザが電車やバスなどの乗り物で移動している場合に、乗り物外で通知情報が通知されることを防止することができる。
【０２１２】
また、取得部３４、３４Ａ、５１Ｂまたは通知部３６（地域情報取得手段の一例）が、紹介情報の通知地域を示す地域情報を取得し、通知部３６、５３Ｂが、第一端末２ａ（２、２Ａ、２Ｂ）の位置から所定範囲Ｑ内に第二端末２ｂ（２、２Ａ、２Ｂ）が存在している場合であっても、第一端末２ａ（２、２Ａ、２Ｂ）の位置および第二端末２ｂ（２、２Ａ、２Ｂ）の位置の少なくとも一つが地域情報で指定される通知地域外である場合、第二端末２ｂ（２、２Ａ、２Ｂ）に対して紹介情報の通知を行わない。
【０２１３】
かかる構成により、例えば、第一端末ユーザや第二端末ユーザを特定の地域に集めることができ、例えば、イベントなどを開催する場所を通知地域とすることで、イベントに対する集客力を向上させることができる。なお、この場合、通知期間も併せて設定することで、特定のイベント外で人が集まることを回避できる。
【０２１４】
また、第一端末２ａ（２、２Ａ）の操作部２２（入力部の一例）が、第一端末２ａ（２、２Ａ）のユーザからのコメント情報を入力し、通知部５３、５３Ａ（コメント情報送信手段の一例）が、操作部２２により入力されたコメント情報をアフィリエイトサーバ３ａ、３Ａａへ送信し、アフィリエイトサーバ３ａ、３Ａａの取得部３４、３４Ａ（コメント情報取得手段の一例）が、コメント情報を第一端末２ａ（２、２Ａ）から取得し、通知部３６が、取得部３４、３４Ａで取得したコメント情報を紹介情報と共に第二端末２ｂ（２、２Ａ）へ通知する。
【０２１５】
かかる構成により、第一端末ユーザのコメント（例えば、推薦コメント）を第二端末ユーザが知ることができ、紹介情報に対応する取引対象を取り引きしようとする動機付けを与えることができる。
【０２１６】
また、第一端末２ａ（２）および第二端末２ｂ（２）の位置検出部２４（位置検出手段の一例）が、現在地を検出し、通知部５３（送信手段の一例）が、位置検出部２４によって検出された現在地の情報をアフィリエイトサーバ３ａへ送信し、アフィリエイトサーバ３ａの取得部３４（位置情報取得手段の一例）が、第一端末２ａ（２）と第二端末２ｂ（２）の位置を示す位置情報をそれぞれ取得し、判定部３５（判定手段の一例）が、取得部３４によって取得した位置情報に基づき、複数の第二端末２ｂ（２）のうち第一端末２ａ（２）の位置から所定範囲内に位置する第二端末２ｂ（２）を判定し、通知部３６が、判定部３５の判定結果に基づいて、第二端末２ｂ（２）に対して紹介情報を通知する。
【０２１７】
かかる構成により、アフィリエイトサーバ３ａにおいて、第一端末２ａ（２）および第二端末２ｂ（２）を容易に把握することができ、紹介条件を満たす第二端末ユーザを容易に判定することができる。
【０２１８】
また、第一端末２ａ（２Ａ）の近距離無線通信部２８（無線通信部の一例）が、第二端末２ｂ（２Ａ）と無線通信を行い、第一端末２ａ（２Ａ）の判定部５４が、近距離無線通信部２８による通信結果に基づいて、所定範囲Ｑ内に位置する第二端末２ｂ（２Ａ）を判定し、通知部５３Ａ（情報送信手段の一例）が、判定部５４により所定範囲Ｑ内に位置すると判定された第二端末２ｂ（２Ａ）の情報をアフィリエイトサーバ３Ａａへ送信し、通知部３６が、第一端末２ａ（２Ａ）から送信される第二端末２ｂ（２Ａ）の情報に基づいて、紹介情報を通知する。
【０２１９】
かかる構成により、アフィリエイトサーバ３Ａａにおいて紹介条件を満たす第二端末ユーザの判定を行わずに済み、アフィリエイトサーバ３Ａａの処理負荷を軽減することができる。
【０２２０】
〔９．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０２２１】
上述したアフィリエイトサーバ３ａ、３Ａａ、３Ｂａとショッピングサーバ３ｂとは一つのサーバコンピュータで実現してもよい。また、アフィリエイトサーバ３ａ、３Ａａ、３Ｂａやショッピングサーバ３ｂは、それぞれ複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【符号の説明】
【０２２２】
１、１Ａ、１Ｂ  アフィリエイトシステム
２、２Ａ、２Ｂ、２1〜２n  無線端末
２ａ  第一端末
２ｂ  第二端末
３、３Ａ、３Ｂ  サーバ
３ａ、３Ａａ、３Ｂａ  アフィリエイトサーバ
３ｂ  ショッピングサーバ
４、４1〜４m  店舗端末
５  通信ネットワーク
２０  無線通信部
２１  表示部
２２  操作部
２３  記憶部
２４  位置検出部
２５  撮像部
２６  匂い検出部
２７、２７Ａ、２７Ｂ、３３、３３Ａ，３３Ｂ、４２  制御部
２８  近距離無線通信部
３０、４０  通信部
３４、３４Ａ、５１、５１Ｂ  取得部
３５、３５Ａ、５４、５４Ｂ  判定部
３６、４４、５３、５３Ａ、５３Ｂ  通知部
３７  付与部
４３  販売処理部
５２  表示制御部
【図１】
2014186471.tif 000003
【図２】
2014186471.tif 000004
【図３】
2014186471.tif 000005
【図４】
2014186471.tif 000006
【図５】
2014186471.tif 000007
【図６】
2014186471.tif 000008
【図７】
2014186471.tif 000009
【図８】
2014186471.tif 000010
【図９】
2014186471.tif 000011
【図１０】
2014186471.tif 000012
【図１１】
2014186471.tif 000013
【図１２】
2014186471.tif 000014